(57)【要約】【課題】固定ナットの緊張作業が容易であるとともに固定ナットが緩み難い構造物の接続構造を提供すること。【解決手段】コンクリート構造物側にアンカーボルトの基端部分を埋設し、コンクリート構造物からアンカーボルトの一部を突出させるとともに、突出したアンカーボルトを被接続構造物側に形成した締着孔に挿通し、前記被接続構造物に形成した凹部に開口した前記締着孔から突出したアンカーボルト頭部に固定ナットを螺合してコンクリート構造物を接続固定する構造物の接続構造であって、前記固定ナットと凹部の底壁面との間に勾配座金と勾配面を有する緊張部材とを互いの勾配面を対向させて配置し、前記緊張部材に螺合されるとともに、前記アンカーボルトに対して垂直に配設された緊張ボルトを操作して構造物を接続固定するので、固定ナットの緊張作業が容易であるとともに、固定ナットが緩み難い。【選択図】図１
2011042928.tif 000002
【特許請求の範囲】
【請求項１】
コンクリート構造物側にアンカーボルトの基端部分を埋設し、コンクリート構造物からアンカーボルトの一部を突出させるとともに、突出したアンカーボルトを被接続構造物側に形成した締着孔に挿通し、前記被接続構造物に形成した凹部に開口した前記締着孔から突出したアンカーボルト頭部に固定ナットを螺合してコンクリート構造物を接続固定する構造物の接続構造であって、
前記固定ナットと凹部の底壁面との間に勾配座金と勾配面を有する緊張部材とを互いの勾配面を対向させて配置し、
前記緊張部材に螺合されるとともに、前記アンカーボルトに対して垂直に配設された緊張ボルトを操作して構造物を接続固定することを特徴とする構造物の接続構造。
【請求項２】
前記緊張部材は、勾配面の低くなった側端に立上がり壁を有しており、この立上がり壁に緊張ボルトを螺合するための雌ネジを形成したことを特徴とする請求項１に記載の構造物の接続構造。
【請求項３】
前記緊張部材は、アンカーボルトの遊嵌可能な挿通穴を備えるとともに、前記挿通穴内に突出した緊張ボルトの先端がアンカーボルトまたは固定ナットに当接し、緊張部材をアンカーボルトに対して垂直方向に移動することにより緊張することを特徴とする請求項１または２に記載の構造物の接続構造。
【請求項４】
前記緊張部材に形成された挿通穴は、前記緊張ボルトの螺合方向に長い長円であり、前記緊張ボルトを操作することにより緊張部材をアンカーボルトに対して垂直方向に移動し、勾配面の厚い部位をアンカーボルトに近接させることを特徴とする請求項１〜３のいずれか１項に記載の構造物の接続構造。
【発明の詳細な説明】
【技術分野】
【０００１】
本発明は、コンクリート壁等の構造物を他の構造物に接続するための構造物の接続構造に関するものである。
【背景技術】
【０００２】
一般に、橋梁や道路においてコンクリート床版等の構造物に壁体等を接続する場合、構造物側にアンカーボルトを埋設し、構造物から突出したアンカーボルトの頭部を壁体等に設けた脚部或いは凹所に貫通させ、固定ナットで固着する構造のものが広く提案されている。
例えば、特許文献１、２に開示されたコンクリート製路側壁の接続構造では、コンクリート床版にアンカーボルトを埋設し、コンクリート製路側壁に設けた凹所まで延設されたアンカーボルトの頭部に固定ナットで固定するものである。
【先行技術文献】
【特許文献】
【０００３】
【特許文献１】特許第２９６１６０５号公報
【特許文献２】特許第３３７０８４６号公報
【発明の概要】
【発明が解決しようとする課題】
【０００４】
しかし、上記したような構造物の接続構造にあって、凹所内で固定ナットを締め付ける作業をしなければならず、狭い凹所内の固定ナットをスパナー等で回す事は煩雑であった。
また、アンカーボルトに螺合した固定ナットが振動や経年変化によって緩む虞れも存在した。
【０００５】
この発明は、上記に鑑み提案されたもので、アンカーボルトに螺合する固定ナットの緩みを防止するとともに、締め付け作業の容易な構造物の接続構造を提供することを目的とする。
【課題を解決するための手段】
【０００６】
上記目的を達成する為に、本発明の構造物の接続構造はコンクリート構造物側にアンカーボルトの基端部分を埋設し、コンクリート構造物からアンカーボルトの一部を突出させるとともに、突出したアンカーボルトを被接続構造物側に形成した締着孔に挿通し、前記被接続構造物に形成した凹部に開口した前記締着孔から突出したアンカーボルト頭部に固定ナットを螺合してコンクリート構造物を接続固定する構造物の接続構造であって、前記固定ナットと凹部の底壁面との間に勾配座金と勾配面を有する緊張部材とを互いの勾配面を対向させて配置し、前記緊張部材に螺合されるとともに、前記アンカーボルトに対して垂直に配設された緊張ボルトを操作して構造物を接続固定することを特徴とする。
【０００７】
また、前記緊張部材は、勾配面の低くなった側端に立上がり壁を有しており、この立上がり壁に緊張ボルトを螺合するための雌ネジを形成したことを特徴とする。
【０００８】
また、前記緊張部材は、アンカーボルトの遊嵌可能な挿通穴を備えるとともに、前記挿通穴内に突出した緊張ボルトの先端がアンカーボルトに当接し、緊張部材をアンカーボルトに対して垂直方向に移動することにより緊張することを特徴とする。
【０００９】
また、前記緊張部材に形成された挿通穴は、前記緊張ボルトの螺合方向に長い長円であり、前記緊張ボルトを操作することにより緊張部材をアンカーボルトに対して垂直方向に移動し、勾配面の厚い部位をアンカーボルトに近接させることを特徴とする。
【発明の効果】
【００１０】
この発明は上記した構成からなるので、以下に説明するような効果を奏することができる。
【００１１】
本発明の構造物の接続構造では、コンクリート構造物側にアンカーボルトの基端部分を埋設し、コンクリート構造物からアンカーボルトの一部を突出させるとともに、突出したアンカーボルトを被接続構造物側に形成した締着孔に挿通し、前記被接続構造物に形成した凹部に開口した前記締着孔から突出したアンカーボルト頭部に固定ナットを螺合してコンクリート構造物を接続固定する構造物の接続構造であって、前記固定ナットと凹部の底壁面との間に勾配座金と勾配面を有する緊張部材とを互いの勾配面を対向させて配置し、前記緊張部材に螺合されるとともに、前記アンカーボルトに対して垂直に配設された緊張ボルトを操作して構造物を接続固定するので、固定ナットの緊張作業が容易であるとともに、固定ナットが緩み難いと云う利点を有している。
【図面の簡単な説明】
【００１２】
【図１】図１は、本発明に係る構造物の接続構造の一実施例を示す縦断面図である。
【図２】図２は、同構造物の接続構造に使用される接続部材を示す側面図である。
【図３】図３は、同構造物の接続構造に使用される接続部材の平面図である。
【図４】図４は、同構造物の接続構造に使用される接続部材の正面図である。
【図５】図５は、本発明の構造物の接続構造に使用される接続部材の他の実施例を示す側面図である。
【図６】図６は、本発明の構造物の接続構造に使用される接続部材の他の実施例を示す正面図である。
【発明を実施するための形態】
【００１３】
以下、一実施の形態を示す図面に基づいて本発明を詳細に説明する。図１は本発明に係る構造物の接続構造の一実施例を示す縦断面図、図２は本発明の構造物の接続構造に使用される接続部材を示す側面図、図３は本発明の構造物の接続構造に使用される接続部材の平面図、図４は本発明の構造物の接続構造に使用される接続部材の正面図である。ここで、本発明の構造物の接続構造１０は、コンクリート構造物１１側にアンカーボルト１２の基端部分を埋設し、コンクリート構造物１１からアンカーボルト１２の一部を突出させるとともに、突出したアンカーボルト１２を被接続構造物１３側に形成した締着孔１４に挿通し、前記被接続構造物１３に形成した凹部１５に開口した締着孔１４から突出したアンカーボルト頭部１２ａに固定ナット１６を螺合してコンクリート構造物を接続固定するものであって、前記固定ナット１６と凹部１５の底壁面１５ａとの間に勾配座金１７と勾配面１８ａを有する緊張部材１８とを互いの勾配面を対向させて配置し、前記緊張部材１８に螺合されるとともに、前記アンカーボルト１２に対して垂直に配設された緊張ボルト１９を操作して構造物を接続固定する構成である。
【００１４】
被接続構造物１３に形成した凹部１５は、被接続構造物１３の側面に開口を有するとともに、被接続構造物１３に形成された締着孔１４と連通している。締着孔１４は、アンカーボルト１２を挿通するのに充分な内径を有している。また、凹部１５の底壁面１５ａは、挿通されるアンカーボルト１２と略垂直な平面に形成されている。更に、締着孔１４は、底壁面１５ａと垂直に形成されている。
【００１５】
緊張部材１８は、略平板状をしており、上面に勾配面１８ａを有している。勾配面１８ａは、緊張ボルト１９の螺合された側と反対側が高く（厚く）なるように形成されている。緊張ボルト１９は、緊張部材１８の側面にアンカーボルトに対して垂直方向に移動可能に螺合される。また、緊張ボルト１９の頭部には、六角溝１９ａが形成されており、六角レンチで操作することができる。更に、緊張部材１８に形成された挿通穴２０は、前記緊張ボルト１９の螺合方向に長い長円であり、緊張ボルト１９を操作することにより緊張部材１８をアンカーボルト１２に対して垂直方向に移動し、勾配面１８ａの厚い部位をアンカーボルト１２方向に近接させることができる。なお、緊張ボルト１９は、六角溝１９ａを有するものに限らず、通常六角ボルト、他の形式のボルトを使用することができる。
【００１６】
勾配座金１７は、勾配面１７ａを有しており、ＪＩＳ規格のもの使用することができる。また、それ以外の勾配を有する勾配座金１７を使用することもできる。
【００１７】
以上のように構成された構造物の接続構造１０の使用手順について説明する。先ず、コンクリート構造物１１に埋設されたアンカーボルト１２を被接続構造物１３に形成された締着孔１４に挿通する。次に、被接続構造物１３の凹部１５まで延びたアンカーボルト１２の頭部１２ａに緊張部材１８の挿通穴２０を挿着する。この際、緊張部材１８に螺合された緊張ボルト１９は、凹部１５の開口方向に向けて挿着する。緊張部材１８の平坦面は、凹部１５の底壁面１５ａと接触しており、勾配面１８ａは、上面に向いている。緊張部材１８の上には、勾配座金１７が勾配面１７ａを下に向けて載置される。つまり、緊張部材１８の勾配面１８ａと勾配座金１７が勾配面１７ａが互いに向き会うようにする。更に上から、アンカーボルト１２の頭部１２ａに固定ナット１６を螺合させる。固定ナット１６をある程度、手或いはスパナ等で締め付け後、緊張ボルト１９を六角レンチ等で更に締め付ける。
【００１８】
緊張ボルト１９を六角レンチ等で締め付けると、緊張ボルト１９の頭部がアンカーボルト１２に当接し、緊張部材１８を緊張ボルト１９方向に引き寄せる。つまり、アンカーボルト１２の遊嵌された挿通穴２０は、緊張ボルト１９側に移動することにより、緊張部材１８の厚い断面部位が固定ナット１６と勾配座金１７の下に移動して、アンカーボルト１２と固定ナット１６を緊張することができる。
【００１９】
また、固定ナット１６を緩める場合も、先ず、緊張ボルト１９を六角レンチ等で緩めた後に固定ナット１６をスパナで緩めれば作業が容易である。
【００２０】
図５は、本発明の構造物の接続構造に使用される接続部材の他の実施例を示す側面図、図６は、接続部材の他の実施例を示す正面図である。ここで、緊張部材５０は、断面が略Ｌ字状をしており、上面に勾配面５０ａを有している。勾配面５０ａは、緊張ボルト１９の螺合される立上がり壁５１側と反対側が高く（厚く）なるように形成されている。つまり、緊張部材５０は、勾配面５０ａの低くなった側端に立上がり壁５１を有しており、この立上がり壁５１に緊張ボルト１９を螺合するための雌ネジ５１ａが形成されている。螺合された緊張ボルト１９は、アンカーボルト１２及び固定ナット１６に対して垂直方向に移動可能である。また、緊張ボルト１９の頭部には、六角溝１９ａが形成されており、六角レンチで操作することができる。更に、緊張部材５０に形成された挿通穴２０は、前記緊張ボルト１９の螺合方向に長い長円であり、緊張ボルト１９を操作することにより先端が固定ナット１６に当接して、緊張部材５０をアンカーボルト１２及び固定ナット１６に対して垂直方向に移動し、勾配面５０ａの厚い部位をアンカーボルト１２方向に近接させる。
【００２１】
このように緊張部材５０を構成した場合、緊張ボルト１９の先端がアンカーボルト１２の頭部に螺合された固定ナット１６に当接するので、固定ナット１６を介して緊張部材５０を緊張ボルト１９方向に引き寄せる。第１の実施例と同様に、アンカーボルト１２の遊嵌された挿通穴２０は、緊張ボルト１９側に移動することにより、緊張部材５０の厚い断面部位が固定ナット１６と勾配座金１７の下に移動して、アンカーボルト１２と固定ナット１６を緊張する。また、緊張ボルト１９の先端が固定ナット１６に直接当接するので、固定ナット１６の緩み止めの効果を奏することができる。
【００２２】
なお、以上の実施例では、被接続構造物の側壁に凹部を設ける場合について説明したが、被接続構造物のフーチングや脚部等に適用するようにしてもよい。また、緊張部材に形成する挿通穴の形状を長円状としたが、楕円形状や長方形であったもよい。更に、被接続構造物は、コンクリート製側壁やコンクリート製ガードフェンス等であってもよい。
【符号の説明】
【００２３】
１０      構造物の接続構造
１１      コンクリート構造物
１２      アンカーボルト
１２ａ    アンカーボルト頭部
１３      被接続構造物
１４      締着孔
１５      凹部
１５ａ    底壁面
１６      固定ナット
１７      勾配座金
１８      緊張部材
１８ａ    勾配面
１９      緊張ボルト
１９ａ    六角溝
２０      挿通穴
５０      緊張部材
５１      立上がり壁
【図１】
2011042928.tif 000003
【図２】
2011042928.tif 000004
【図３】
2011042928.tif 000005
【図４】
2011042928.tif 000006
【図５】
2011042928.tif 000007
【図６】
2011042928.tif 000008